【手続補正書】
【提出日】平成17年2月24日(2005.2.24)
【手続補正１】
【補正対象書類名】明細書
【補正対象項目名】全文
【補正方法】変更
【補正の内容】
【書類名】  明細書
【発明の名称】  カメラおよびカメラの制御方法
【特許請求の範囲】
【請求項１】  ブラケット撮影の可能なカメラであって、
カメラの残り撮影コマ数に関する情報と１回のブラケット撮影に要する撮影コマ数に関する情報を取得する情報取得手段と、
前記情報取得手段により取得した残り撮影コマ数と１回のブラケット撮影に要する撮影コマ数から残りの撮影コマ数にて何回のブラケット撮影が可能であるかを演算する演算手段と、
前記演算手段による演算結果を表示する表示手段とを有することを特徴とするカメラ。
【請求項２】  前記カメラにブラケット撮影を行うブラケット撮影モードを設定するモード設定手段を有し、前記モード設定手段にてブラケット撮影モードが設定される場合に、表示手段は前記演算手段による演算結果を表示することを特徴とする請求項１に記載のカメラ。
【請求項３】  前記表示手段は撮影コマ数を表示するフレームカウンター部分を有し、前記モード設定手段にてブラケット撮影モードが設定される場合に、前記フレームカウンター部分に前記演算手段による演算結果を表示することを特徴とする請求項２に記載のカメラ。
【請求項４】  前記表示手段はファインダー内表示デバイスと外部表示デバイスとを有し、前記ファインダー内表示手段および前記外部表示手段の少なくともどちらか一方に前記演算手段による演算結果を表示することを特徴とする請求項１ないし３のいずれかに記載のカメラ。
【請求項５】  表示デバイスを有し、ブラケット撮影の可能なカメラの制御方法であって、
カメラの残り撮影コマ数に関する情報と１回のブラケット撮影に要する撮影コマ数に関する情報を取得する情報取得工程と、
前記情報取得工程により取得した残り撮影コマ数と１回のブラケット撮影に要する撮影コマ数から残りの撮影コマ数にて何回のブラケット撮影が可能であるかを演算する演算工程と、
前記演算工程による演算結果を表示デバイスに表示する表示工程とを有することを特徴とするカメラの制御方法。
【発明の詳細な説明】
【０００１】
【発明の属する技術分野】
本発明は、ブラケット撮影の可能なカメラおよびカメラの制御方法に関するものである。
【０００２】
【従来の技術】
ファインダ−から目を離すことなくフィルムの残り枚数がわかるようにするために、特開平５−２１６１０８号公報では、ファインダ−内に現在の撮影枚数と全フィルム枚数を同時に表示できるような表示装置が記載されている。さらに、特開平７−２０９７２６号公報では、表示パネルを大きくすることなくオートブラケット撮影機構と露出補正機構が同時に設定されたときに、オートブラケット撮影が予定されている露出値が、表示指標部の示す範囲内に収まるように、表示指示部または表示指標部の表示を変更することが記載されている。
【０００３】
特開平５−３０３１３０号公報には、段階的に露出補正をかけて所定枚数の撮影を行う装置において、撮影枚数と露出補正量とで決まる露出値のシフト範囲と、露出上限値と露出下限値とで決まる有効露出範囲とを比較し、シフト範囲の各露出値のうち露出上限値を超える露出値を露出上限値を含む所定範囲内に変更し、かつシフト範囲の各露出値のうち露出下限値を下回る露出値を露出下限値を含む所定範囲内に変更することが記載されている。
【０００４】
【発明が解決しようとする課題】
ブラケッティング撮影は、基準露出値、撮影枚数および露出補正量を設定して、基準露出値を基準として露出補正量で段階的に露出補正をかけて設定した所定枚数を撮影する機能であり、その目的として所定の枚数が撮影されないと意味がない。
【０００５】
しかしながら、残りフィルム数がファインダーの中で確認できたとしても、オートブラケット撮影があと何回できるのかは表示されておらず、例えば１回のオートブラケット撮影で３コマ分のフィルムを使用するオートブラケット撮影の途中（例えば２コマ分撮影したところ）でフィルムが終わってしまうということが起こっていた。
【０００６】
さらに、露出補正とオートブラケットを組み合わせたの表示に関して、限られた表示部材で表示する提案や、オートブラケットの再設定操作の必要をなくし操作性の改善を図った提案があるが、いずれもオートブラケット撮影があと何回できるのかは、撮影者が自分で考えなければならず撮影に支障をきたしていた。
【０００７】
本発明は以上のような実情に鑑みてなされたもので、撮影者が容易に残りのブラケット撮影回数がわかるようにするため、残りブラケット撮影回数を表示することのできるカメラを提供することを目的とする。
【０００８】
【課題を解決するための手段】
上記目的のために、本発明は、ブラケット撮影の可能なカメラであって、カメラの残り撮影コマ数に関する情報と１回のブラケット撮影に要する撮影コマ数に関する情報を取得する情報取得手段と、前記情報取得手段により取得した残り撮影コマ数と１回のブラケット撮影に要する撮影コマ数から残りの撮影可能コマ数にて何回のブラケット撮影が可能であるかを演算する演算手段と、前記演算手段による演算結果を表示する表示手段とを有することを特徴としている。
【０００９】
【発明の実施の形態】
図１のフローチャートにしたがって本発明の動作を説明する。メインからフローチャートを説明する（ステップＡ１）。
【００１０】
ステップステップＡ２にて、カメラのメインスイッチがＯＮかどうかを判定する。カメラのメインスイッチＯＦＦなら、ステップステップＡ２のメインスイッチ判定を繰り返す。実際は、マイクロコンピュータのスリープモードなど消費電力の少ない動作モードになり、スイッチ操作でそのモードを解除する等のシーケンスになる。
【００１１】
ステップＡ２でカメラのメインスイッチがＯＮなら、ステップステップＡ３へ進み、フィルムがカメラに入っているか、かつフィルムはローディングされているかを判定する。フィルムが入っていてオートローディングされていない場合はステップステップＡ４へ分岐し、フィルムのオートローディングを行うと共に、フィルムのＤＸ情報を読み取り、装填されたフィルムの総枚数を取得する。取得したフィルム総枚数は所定のメモリに記憶しておく。次にステップステップＡ５へ進む。
【００１２】
ステップＡ３でフィルムが入っていない場合、またフィルムが既にローディング済みの場合もステップＡ５へ進む。
【００１３】
レリーズボタンが半押しされているかを判定する。半押しされていればステップＡ１３に分岐する。
【００１４】
半押しされていなければステップＡ６へ分岐する。まず、半押しされていない場合から説明する。
【００１５】
ステップＡ６では、モード切り替え操作がなされたか判定し、モード切り替え操作が行われていれば、ステップＡ７へ分岐し、モード切り替え処理を行う。例えば、ＡＥＢモードの設定を行う。ＡＥＢモードの設定では、ブラケッティングする露出ずらし量、撮影枚数、撮影順およびＡＥＢ残数表示を行うか否かの設定する。設定が終了したらステップＡ８へ進む。
【００１６】
ステップＡ６においてモード切り替え操作がなされなかった場合は、それ以前に設定されたモードのままステップＡ８へ進む。
【００１７】
ステップＡ５でレリーズボタンが半押しされていた場合は、ステップＡ１３へ分岐し、測光、焦点検出およびＡＦ駆動を行う。
【００１８】
これらが終了したら、ステップＡ１４へ進む。
【００１９】
ステップＡ１４では、レリーズボタンが押されているか判定する。半押し状態ならステップＡ１４をループし、レリーズボタンがまったく押されていない場合は、ステップＡ８へ分岐する。
【００２０】
レリーズボタンが全押しされていればステップＡ１５へ進み、絞りを駆動し、シャッターを作動させ撮影を行う、撮影が終了したらフィル給送を行う。
【００２１】
給送が終わったらステップＡ１６へ進みフィルムカウンターのカウントアップをおこなう。
【００２２】
ステップＡ８でＡＥＢ残数表示を行う設定になっているか判定する。残数表示を行うならステップＡ９へ分岐し、装填されたフィルム総枚数、装填されたフィルムの撮影枚数、一回のＡＥＢで撮影する枚数を取得する。
【００２３】
次に、ステップＡ１０へ進み、ＡＥＢ可能残数を計算する。
【００２４】
ＡＥＢ残数＝（フィルム総枚数−撮影枚数）／１回のＡＥＢ枚数
の計算を行い、端数が出た場合は切り捨てる。計算が終了したら、ステップＡ１１へ進む。
【００２５】
ステップＡ１１では、ＡＥＢ残数を表示する。
【００２６】
ステップＡ８においてＡＥＢ残数表示を行う設定になっていない場合は、ステップＡ１２でフィルムカウンター表示を行う。
【００２７】
表示を行った後、ステップＡ２へ戻り動作を繰り返す。
【００２８】
図８に本発明の実施の形態に係るカメラの回路構成を示すブロック図を示す。
【００２９】
１０１はカメラ用マイクロコンピュータであり、以下の各回路の動作を制御する。
【００３０】
１０２は不図示の撮影レンズの焦点調節や絞りの制御を行うＡＦ駆動手段である。
【００３１】
１０３はフィルムのＤＸコードなどカメラの各種の入力を検知するための信号入力回路である。
【００３２】
１１３はスイッチ群であり、本スイッチ群にはカメラのメインスイッチ、レリーズスイッチ、連写モードスイッチ、各種情報設定用スイッチ等がある。
【００３３】
１０４はフィルム給送用モータを駆動するためのフィルム給送手段である。
【００３４】
１０５はシャッタマグネットを制御するためのシャッター駆動手段である。
【００３５】
１０７は、既存の位相差検出方式によりオートフォーカス（ＡＦ）を行うためのエリアセンサと、その蓄積読み出しのための回路ユニットよりなる焦点検出手段であり、マイクロコンピュータ１０１により制御される。
【００３６】
１０８は、測光センサにより被写体の測光を行い、マイクロコンピュータ１０１へ測光出力を送る測光手段であり、マイクロコンピュータは入力された複数の測光出力をＡ／Ｄ変換し、露出条件（絞り、シャッタースピード）の設定に用いる。
【００３７】
１１０は、絞り駆動手段で、マイクロコンピュータ１０１から制御され絞り制御を行う。
【００３８】
１１１は、カメラの各撮影情報、例えばシャッタースピード、絞り値、ＩＳＯ感度、フィルム枚数などを撮影者に知らせるための外部表示手段である。
【００３９】
１２２は、カメラの各撮影情報、例えばシャッタースピード、絞り値、フィルム枚数などをファインダー内に表示するファインダー内表示手段である。
【００４０】
マイクロコンピュータ１０１内には、カメラ動作を制御するプログラムを格納したＲＯＭ、変数を記憶するためＲＡＭ、諸パラメータを記憶するためのＥＥＰＲＯＭ（電気的消去、書き込み可能メモリ）が内蔵されている。
【００４１】
図６は、本発明の実施の形態に係るカメラの操作部材等を説明する図である。図６（ａ）はカメラを上面から見た図である。図６（ｂ）はカメラを裏面（撮影者側）から見た図である。図６（ｃ）はカメラを側面から見た図である。
【００４２】
ＡＦＭＢは、ＡＦモードボタンである。ＡＦモード釦を押すとＡＦモード設定状態に入る。この状態のまま、メイン電子ダイアルを回転するとＡＦモードのワンショット、ＡＩサーボの選択ができる。ただし、不図示のレンズＡＦ／ＭＡＮＵＡＬスイッチがＭＡＮＵＡＬの場合は表示オフのままで、メイン電子ダイアルを回転させても表示変わらず、ＡＦモードの設定はできない。
【００４３】
ＡＥＭＢは、ＡＥモードボタンである。ＡＥモード釦を押すとＡＥモード設定状態に入る。ＡＥモード釦オンしたままメイン電子ダイアルを回転することでＡＥモードのマニュアル、Ｔｖ優先、バルブ、プログラム、Ａｖ優先、デプスの選択ができる。
【００４４】
ＭＳＭＢは、測光モードボタンである。測光モード釦を押すと測光モード設定状態に入る。測光モード釦オンしたままメイン電子ダイアルを回転すると測光モードを評価測光、部分測光、スポット測光、中央重点平均測光から選択して設定することができる。
【００４５】
ＲＬＳレリーズボタンである。レリーズボタンは、第１段階の押下（半押し）によりＯＮになるＳＷ１と、引き続いて第２段階の押下（全押し）によりＯＮになるＳＷ２に連動している。
【００４６】
ＭＤＬは、メイン電子ダイアルである。このダイアルを操作することにより各種の設定を行うことができる。
【００４７】
ＯＬＣは、外部表示手段１１１の表示部である外部液晶である。この外部液晶に撮影モード、シャッタースピード、絞り値、フィルムカウンターなどカメラの各種状態を表示する。
【００４８】
ＳＤＬは、サブ電子ダイアルである。このダイアルを操作することにより各種の設定を行うことができる。ＦＮＤＲは、ファインダーである。
【００４９】
ＭＳＷは、メインスイッチである。このスイッチをＯＮにすることによりカメラの撮影動作が可能になる。
【００５０】
ＣＦＢは、ＣＦ設定ボタンである。カスタムファンクションを設定するために使用する。
【００５１】
ＭＥＮＵは、ＭＥＮＵボタンである。パーソナルファンクションなど、カメラの特別なモードを設定する場合に使用する。
【００５２】
図２は外部液晶ＯＬＣの表示内容を説明する図である。図２を使ってＯＬＣの表示内容を説明する。
【００５３】
ＢＴＤＳＰは、バッテリーマークでカメラのバッテリーの状態を表示する。
【００５４】
ＡＥＤＳＰは、ＡＥモードの表示である。マニュアル露出：Ｍ、シャッター優先ＡＥ：Ｔｖ、プログラムＡＥ：Ｐ、絞り優先ＡＥ：Ａｖ、深度優先ＡＥ：ＤＥＰの表示で表す。
【００５５】
ＡＶＤＳＰは、絞り値の表示を行う他、カスタム機能のセット表示、ＡＥＢステップ表示等の表示も兼ねる。
【００５６】
ＴＶＤＳＰは、シャッター速度表示の他、カスタム機能表示もおこなう。
【００５７】
ＡＥＢＭＫは、ＡＥＢ作動中やＡＥＢの設定中に点滅や点灯を行う。
【００５８】
ＡＦＤＳＰは、ＡＦモード表示である。レンズのＡＦ／ＭＡＮＵＡＬスイッチがＭＡＮＵＡＬの場合は消灯する。
【００５９】
ＤＲＳＤＰは、給送モード表示である。給送モードは１枚撮影、高速連続撮影、低速連続撮影、セルフ１０秒、セルフ５秒があり、それぞれのモードに対応するセルが点灯する。
【００６０】
ＰＴＭＫは、パトローネマークでフィルムが装填されていることを表示する。
【００６１】
ＭＳＤＳＰは、測光モード表示である。測光モードの評価測光、部分測光、スポット測光、中央重点平均測光に対応したセルが点灯する。
【００６２】
ＲＶＭＫは、残量表示中マークでフィルムの残り枚数を表示している場合に点灯する。
【００６３】
ＣＮＴＤＳＰは、フィルムカウンター表示である。
【００６４】
ＢＡＲＤＳＰは、露出レベル表示である。このドット表示部を用いてＡＥＢセット値や、カスタム機能設定表示も行う。
【００６５】
図３を使って、図６のＦＮＤＲ（ファインダー）内の表示、すなわちファインダー内表示手段１１２の表示内容を説明する。
【００６６】
ＡＦＦはＡＦフレームでこの表示の場所の焦点検出を行う。
【００６７】
ＡＡＦＦはエリアＡＦフレームで、この表示の内側に４５個のＡＦフレームがある。
【００６８】
ＳＰＡは中央部スポット測光範囲マークで測光モードをスポット測光に設定した場合この円の内側領域で測光を行う。
【００６９】
ＶＬＣＢＡＲは露出補正目盛りで、露出補正や、ＡＥロック値、現在の露出値などをドット表示する。
【００７０】
ＩＦＣＮＴはフィルムカウンターでＩＲＶＭＫは残量表示中マークでフィルムの残り枚数を表示している場合に点灯する。
【００７１】
ＡＢＣＭはＡＥＢ中マークで、ＡＥＢ中に点灯する。
【００７２】
ＪＰＭＫは合焦マーク撮影する被写体にピントが合うと点灯し、焦点検出不能時に点滅する。
【００７３】
ＲＨＭＫは露出補正表示で露出補正中に点灯する。
【００７４】
ＩＡＶＤＰは絞り値表示部で、絞り値を表示するほか深度優先ＡＥのシーケンス表示などを行う。
【００７５】
ＩＴＶＤＰはシャッター速度表示部で、シャッター速度のほか深度優先ＡＥ（ＤＥＰ）表示などを行う。
【００７６】
ＳＴＭＫはストロボ充完表示で、カメラに接続されたストロボの充電が完了すると点灯する。
【００７７】
ＡＥＬＭＫはＡＥロック表示で、露出値を固定して撮影を行う場合（ＡＥロック時）に点灯する。
【００７８】
ＭＮＭＭＫはマニュアル露出表示で、ＡＥモードがマニュアル露出モードのときに点灯する。
【００７９】
図４はＡＥＢの設定方法を説明する図である。ＡＥＢとは、Ａｕｔｏ  Ｅｘｐｏｓｕｒｅ  Ｂｒａｃｋｅｔｉｎｇの略で、自動的に段階露出ずらしを行って撮影する機能である。
【００８０】
ＡＥモード釦ＡＥＭＢとＡＦモード釦ＡＦＭＢを同時押ししている時に、メイン電子ダイアルＭＤＬの回転操作によりＡＥＢ段数設定することができる。
【００８１】
ＡＥモード釦オンしている時に、ＡＦモード釦を押すとすぐにＡＥＢ設定に入ることができる。逆に、ＡＦモード釦オンしている時に、ＡＥモード釦を押すとすぐにＡＥＢ設定に入ることができる。
【００８２】
ＡＥモード釦とＡＦモード釦両方を離すとＡＥＢ設定モードから抜ける。
【００８３】
ＡＥＢ設定は、０段から３段まで設定可能で、設定の段数は後述のＣＦ−６（カスタムファンクション−６）で設定した値を用いる。
【００８４】
図４（ｂ１）〜（ｂ３）に０段から０．７段（２／３段）の表示を、（ｃ１）（ｃ２）に２．７段（８／３段）、３．０段の設定状態の表示を示す。
【００８５】
ＡＥＢ設定表示は、ＡＥＢマーク、絞りの７セグにＡＥＢ設定段数のデジタル値、バー表示部分に設定段数のアナログ表示を行う。
【００８６】
後述するＣＦ（カスタムファンクション）機能により通常３分の１段きざみの刻み幅を、２分の１段きざみに変更することができる。
【００８７】
露出補正が０、またはＡＥモードがマニュアル露出の時は、バー表示の中心は０マークＡＥ時露出補正掛かっている時には露出補正値を中心に表示を行う。この場合、露出補正とＡＥＢ設定段数を加えた値が±３段を超えてバー表示範囲外になる時がある。この時には、設定ドットは表示されない。
【００８８】
次に、ＡＥＢの実際の操作と表示について説明する。露出を決定するパラメータである絞りとシャッター速度のうち、どのパラメータをずらすかはそれぞれのモードごとに異なる。それを表Ｔ１（１）に示す。プログラムＡＥではシャッター速度と絞り値の両方、シャッター優先ＡＥモードでは絞り値が、絞り優先ＡＥモードではシャッター速度が変化（ブラケット）する。マニュアル露出モードでは後述のＣＦ−５（カスタムファンクション−５）の設定により、ブラケッティングするものが異なる。
【００８９】
ＡＥＢのずらし量はＡＥＢ設定時に設定した段数であるが、絞りが最小絞り以上、開放絞り以下の制御範囲外になったり、シャッターが３０秒以下、８０００分の１秒以上の制御範囲外になったら、限界の制御値で制御する。そのときの露出は設定したずらし量にはならない。
【００９０】
ＡＥＢにおける撮影順序について説明する。ＡＥＢのずらしコマ数は通常３コマである。その露光制御の順番は、後述するＣＦ−９（カスタムファンクション−９）にて、０または１が設定される場合には、適正→アンダー→オーバーの順序で撮影され、ＣＦ−９（カスタムファンクション−９）にて、２または３が設定される場合にはアンダー→適正→オーバーの順序で撮影される。
【００９１】
ＡＥＢを解除する場合について説明する。本実施形態のカメラにおいてＡＥＢは、クリア釦、ストロボ充完、バルブで解除する。またＣＦ９が０または２の時は、さらにロック、レンズ交換、オートローディング、巻戻しで解除する。ＣＦ−９（カスタムファンクション−９）にて、１または３が設定される時は、ロック、レンズ交換、オートローディング、巻戻しではＡＥＢを解除せずに、そのまま、ＡＥＢの設定を継続する。これらの関係をまとめたものを表Ｔ１（２）に示す。
【００９２】
次に、ＡＥＢが設定されているときの各コマの撮影について説明する。以下の説明は、１回のＡＥＢにてアンダー→適正→オーバーの順序で３コマの撮影を行うように設定されていると仮定して説明する。ＡＥＢの１コマ目を撮影するためレリーズ釦を半押しすると測光、演算を開始する。１コマ目は、アンダー撮影なので測光演算値はアンダー補正されたシャッターおよび絞りを表示する。
【００９３】
ＶＬＣＢＡＲは今回撮影される露出をドット１点のみ表示する。１コマ撮影するまでは、露出補正、ＡＥモード、ＡＦモード、測光モード、ＩＳＯ、多重枚数などの変更は可能である。またＡＥロックも可能である。
【００９４】
レリーズ釦から指を離すと測光タイマーにはいる。このときのシャッターと絞りは適正な演算値を表示する。ＶＬＣＢＡＲには、適正、アンダー、オーバーの演算値それぞれをドットに表示する。ドットは３点表示される。したがって、ＶＬＣはＳＷ１押すとドットが一つ、離すと３つが表示される。
【００９５】
ＩＴＶＤＰ、ＩＡＶＤＰもＳＷ１押すとアンダー表示、離すと適正表示に切り替わる。
【００９６】
ＡＥＢの１コマ目を露光すると、ＡＥＢの２コマ目撮影に移る。１コメ目の露出値を記憶される。レリーズ釦を半押しすると測光、演算を開始する。２コマ目は、適正撮影なので測光演算値は適正なシャッターおよび絞りを表示する。またＯＬＣのＡＥＢマーク、ファインダー内表示手段のＡＥロックマークは３コマ撮影完了するまで点滅表示する。
【００９７】
ＶＬＣＢＡＲは今回撮影される適正な露出をドット表示する。１コマ目撮影以降３コマ目撮影完了するまでは、露出補正、ＡＥモード、ＡＦモード、測光モード、ＩＳＯ、多重枚数などの変更は禁止される。またＡＥロックもできない。
【００９８】
測光タイマー中は、ＡＥＢＭＫ、ＡＥロックマークの点滅を除くと１コマ目と同じ。適正な絞り、シャッターを表示、ＶＬＣはアンダー、適正、オーバーの３点をドット表示する。
【００９９】
ＡＥＢ２コマ目を露光すると、ＡＥＢの３コマ目撮影に移る。レリーズ釦を半押しすると測光、演算を開始する。３コマ目は、オーバー撮影なので測光演算値はオーバーなシャッターおよび絞り値を表示する。
【０１００】
ＶＬＣは今回撮影されるオーバーな露出をドット表示する。
【０１０１】
測光タイマー中は、ＡＥＢマーク、ＡＥロックマークの点滅を除くと１コマ目と同じ。適正な絞り、シャッターを表示、ＶＬＣはアンダー、適正、オーバーの３点をドット表示する。
【０１０２】
３コマ目撮影終了すると１コマ目に戻る。記憶した露出値もクリアする。
【０１０３】
ＡＥＢ中にＡＥモード、ＩＳＯ等測光に影響するパラメータを変更することでＡＥＢ１コマ目の記憶した測光値と変わってしまうのを防ぐため、ＡＥＢ１コマ撮影後から３コマ撮影が完了するまでの間は、受け付ける釦が限定される。ＡＥＢ１コマ撮影後に受け付ける釦は、ＡＥモード釦と測光モード釦同時押しによるドライブモード設定、ＡＥモード釦とＡＦモード釦同時押しによるＡＥＢ設定、測距点選択釦押しによる測距点選択モード設定である。
【０１０４】
ＡＥＢ１コマ撮影後から３コマ撮影が完了するまでの間は、測光モード、ＡＥモード、ＡＦモード、ＩＳＯ、多重撮影の設定はできない。
【０１０５】
ＡＥＢ時のＶＬＣＢＡＲ表示について図５を使って説明する。
【０１０６】
例えば、開放Ｆ２．０のレンズを装着して、シャッター速度優先モードにて、シャッター速度２５０分の１を設定して、前後１段のＡＥＢを設定した時に、測光したらＦ２．８で適正になる場合。この時、１段オーバーはＦ２．０、アンダーはＦ４．０になりドット表示は（ａ）のようになる。
【０１０７】
ところが、メイン電子ダイアルを２クリック回転させて、シャッター速度を４００分の１に変更した時には適正Ｆ２．２になるが、１段オーバーにするためにはＦ１．６が必要になり、開放絞りより小さくなってしまう。そのため、制御は、４００分の１秒、Ｆ２．０で行い３分の２段しかオーバーにできない。ＶＬＣ表示もそれに対応してオーバー側のドットは（ｂ）のように１段オーバーではなく３分の２段オーバー表示になる。さらに、シャッター速度を６４０分の１に変更すると、適正撮影もできず、適正、オーバーともに３分の１段アンダー表示になり、（ｃ）のようにドットは見かけ上２個しかみえない。シャッター速度を１０００分の１に変更すると、適正、アンダー、オーバーともに１０００分の１、Ｆ２．０で制御することになり、（ｄ）のように３ドットすべて１段アンダーの処に表示される。これは、開放絞りだけでなく、最小絞り、８０００分の１の最高秒時、３０秒の最長秒時でも同様に発生する。
【０１０８】
測光タイマー中の表示で説明したが、ＳＷ１オンでの個々のドットも同様である。
【０１０９】
本実施形態のカメラにおけるカスタムファンクションについて説明する。カスタムファンクションは様々な撮影スタイルに合わせるためカメラを好みの設定にするための機能である。カスタムファンクションを設定することにより、カメラの標準状態から撮影者の表現志向や目的に応じて変更する機能である。ＡＥＢに関する機能もカスタムファンクションで変更できる。
【０１１０】
次にカスタムファンクションの設定について説明する。図６に示されるカスタムファンクション釦ＣＦＢをオンするとカスタムファンクション設定に入り、カスタムファンクション釦ＣＦＢをはなすとＳＷ１をＯＮするまで永遠にカスタムファンクション設定状態を継続する。カスタムファンクション設定中にメイン電子ダイアルＭＤＬを回転させることで、カスタムファンクション番号を設定することができる。カスタムファンクション設定中にカスタムファンクション釦ＣＦＢをオンするごとにカスタムファンクションの内容を設定することができる。また、カスタムファンクション設定中に、クリア釦を押すと全カスタムファンクションの設定をクリアすることができる。設定中、他のＳＷをオンすると、カスタムファンクション設定をぬけてそのスイッチの操作に移る。
【０１１１】
図７を用いてカスタムファンクションの設定表示を説明する。カスタムファンクション設定時は外部液晶ＯＬＣのＴＶＤＳＰにカスタムファンクション番号（Ｆ−１、Ｆ−２・・・Ｆ１９）までの表示をおこなう。ＡＶＤＳＰの下位桁にはカスタムファンクションの内容（０から４まで）が表示される。さらに、ＢＡＲＤＳＰ部には設定されているカスタムファンクションがドットに対応して表示される。−３のドットがＣＦの１、以降順に対応し、ＣＦ−１９は＋３のドットになる。
【０１１２】
図７は、ＣＦ−４の内容を「２」に設定したところを表す。この図では、ＣＦ−２、４、７、８、１４が設定されていることをＢＡＲＤＳＰ部に表示している。
【０１１３】
本実施形態のカメラにおけるカスタムファンクションの設定内容について説明する。なお、本発明の内容に関係しない部分については説明を省略する。
ＣＦ−１  フィルム自動巻き戻しの設定関連（説明省略）
ＣＦ−２  フィルム巻き戻し完了時のフィルム先端状態関連（説明省略）
ＣＦ−３  ＤＸコード・フィルム感度の自動セット関連（説明省略）
ＣＦ−４  ＡＦ作動／ＡＥロック関連（説明省略）
ＣＦ−５  マニュアル露出時のシャッター速度・絞り数値の設定
「０」：シャッター速度をメイン電子ダイアルで設定、絞り数値をサブ電子ダイアルで設定
「１」：シャッター速度をサブ電子ダイアルで設定、絞り数値をメイン電子ダイアルで設定
「２」：（「０」）と同じで、レンズを外した状態でも絞り数値の設定が可能
「３」：（「１」）と同じで、レンズを外した状態でも絞り数値の設定が可能
マニュアル露出時のＡＥＢ撮影では、メイン電子ダイアルで設定する設定値がブラケットされるためＣＦ−５の設定内容により、シャッター速度がブラケットされるか、絞り値がブラケットされるかが異なる。
ＣＦ−６  露出設定ステップ
「０」：シャッター速度と絞り数値：１／３段、露出補正：１／３段
「１」：シャッター速度と絞り数値：１段、露出補正：１／３段
「２」：シャッター速度と絞り数値：１／２段、露出補正１／２段
ＡＥＢのずらし量もＣＦ−６の設定により１／３ステップまたは、１／２ステップになる。
ＣＦ−７  ＵＳＭレンズの電子式手動フォーカス関連（説明省略）
ＣＦ−８  フィルムカウンター表示
「０」：順算
「１」：逆算
「２」：ファインダー内フィルムカウンター・Ｆ、９〜０
フィルムカウンターが逆算表示されている場合は、ＲＶＭＫおよびＩＲＶＭＫが点灯する。
ＣＦ−９  ＡＥＢ撮影順と解除の有無
「０」：０→−→＋／解除する
「１」：０→−→＋／解除しない
「２」：−→０→＋／解除する
「３」：−→０→＋／解除しない
解除する／しないは表Ｔ１（２）のとおり。
ＣＦ−１０  ＡＦフレームの点灯に関するもの（説明省略）
ＣＦ−１１  ＡＦフレームの選択方法関連（説明省略）
ＣＦ−１２  ミラーアップ撮影の設定に関するもの（説明省略）
ＣＦ−１３  ＡＦフレーム数の選択とスポット測光に関するもの（説明省略）
ＣＦ−１４  日中シンクロのストロボ調光自動低減コントロール（説明省略）
ＣＦ−１５  ストロボシンクロタイミングに関するもの（説明省略）
ＣＦ−１６  セイフティシフトの設定に関するもの（説明省略）
ＣＦ−１７  ＡＦフレームの領域拡大に関するもの（説明省略）
ＣＦ−１８  登録したＡＦフレームへの切換えに関するもの（説明省略）
ＣＦ−１９  レンズのＡＦストップボタン機能を変更（説明省略）
パーソナルファンクションはパソコンを使って撮影者各々の表現に最適なカメラを作るための機能である。カメラ本体とパソコンを接続し露出、給送、ＡＦなどの機能を撮影者各自に合わせて設定することができ、設定したパーソナルファンクションはカメラ本体でカスタムファンクションと同じように「使用する／しない」を選択することができる。パソコンでの機能の設定方法は、本発明に関係ないので説明は省略するが、本発明に関わる後述のパーソナルファンクションはすでにカメラに設定されているものとして説明する。
【０１１４】
パーソナルファンクションの設定について説明する。メニューボタンＭＥＮＵをオンするとパーソナルファンクション設定（ＰＦ設定）に入り、ＭＥＮＵボタンをはなすとパーソナルファンクション設定状態になる。再度メニューボタンＭＥＮＵを押すかレリーズボタンＲＬＳを押してＳＷ１をＯＮするまでパーソナルファンクション設定状態を継続する。パーソナルファンクションの設定はカスタムファンクション設定と同様で、ＰＦの番号変更はメイン電子ダイアルＭＤＬの操作、ＰＦの内容設定はカスタムファンクションボタンＣＦＢ、メニュー釦ＭＥＮＵまたは、ＳＷ１のＯＮでパーソナルファンクション設定状態を抜ける。
【０１１５】
パーソナルファンクションにＡＥＢに関するものを説明する。
【０１１６】
ＰＦ−８：ＡＥＢ撮影の枚数を変更する。
「０」：３コマ撮影
「１」：２コマ撮影
「２」：５コマ撮影
ＰＦ−９：ＣＦ−９−２、３のＡＥＢ撮影順をプラス補正→標準→マイナス補正の順に行う。
ＰＦ−１０：ＡＥＢの撮影可能セット数を表示する。
「０」：フレーム数表示
「１」：外部表示＋ファインダー内
「２」：ファインダー内のみ
「３」：設定時のみ
ＰＦ−１０で「１」を設定するとＡＥＢの撮影可能セット数（ＡＥＢ残り回数）表示になる。
【０１１７】
残りＡＥＢ回数の表示について図９を使って説明する。図９の（１ａ）〜（４ａ）は外部液晶ＯＬＣの表示を表し、（１ｂ）〜（４ｂ）はファインダーＦＮＤＲ内の表示手段の表示をあらわす。（１ａ）、（１ｂ）、（４ａ）、（４ｂ）は通常表示で外部液晶ＯＬＣのＣＮＴＤＳＰ部分およびファインダー内表示手段のＩＦＣＮＴ部分はフレームカウンターになっている。（ＣＦの設定によって逆算表示になる場合もあるが、図９では順算表示の場合を示す。）（２ａ）、（２ｂ）、（３ａ）、（３ｂ）は、ＡＥＢの残数表示で、外部液晶ＯＬＣのＣＮＴＤＳＰ部分およびファインダー内表示手段のＩＦＣＮＴｂ部分は残りのフィルムでＡＥＢ可能な回数が表示される。
【０１１８】
もう少し詳しく説明すると、（１ａ）では、１５コマ撮影済みの場合の表示で次に撮影するフレームが１６コマ目であることを外部液晶ＯＬＣのＣＮＴＤＳＰ部分に表示している。また、露出補正がかかっていないのでＢＡＲＤＳＰ部分の０目盛り部分のドットが点滅している。（白抜きの四角形で表す）また、（１ｂ）でもファインダー内表示手段のＩＦＣＮＴ部分にフレームカウンター値を表示し、露出補正０のドットのみが点灯している。上記の状態から前述した方法で露出補正量１．０段とし、１回のＡＥＢ撮影での撮影コマ数３コマのＡＥＢ設定をおこなうと、３６枚撮りフィルムが装填されている場合（２ａ）のような表示になる。外部液晶ＯＬＣのＣＮＴＤＳＰ部分は、残りＡＥＢ回数が表示される。残り回数は、残りのフィルムで撮影可能なコマ数を１回のＡＥＢで要するコマ数で除算することになる。この場合には、
（３６−１５）／３＝７
で「７」が表示される。また、残数表示になるため外部液晶ＯＬＣのＲＶＭＫも点灯する。外部液晶ＯＬＣのＢＡＲＤＳＰ部は露出補正１．０段のＡＥＢ撮影なので、−１、０、＋１の部分のドットが点滅表示になる。ファインダー内表示手段も（２ｂ）のようにＩＲＶＭＫ部分を点灯させ、ＩＦＣＮＴ部分に「７」を表示する。ＶＬＣＢＡＲ部分は−１、０、＋１に対応する部分のドットが点灯する。
【０１１９】
ＡＥＢ撮影を１回、すなわち３コマの撮影を行った後の表示は（３ａ）、（３ｂ）のようになる。ＡＥＢの残り回数は「６」になる。
【０１２０】
この状態でＡＥＢの設定を解除すると（４ａ）、（４ｂ）の表示になる。１５コマ撮影の状態から３コマの撮影を行ったため、外部液晶ＯＬＣのＣＮＴＤＳＰ部分およびファインダー内表示手段のＩＦＣＮＴ部分は「１９」を表示する。
【０１２１】
次にＰＦ−８（パーソナルファンクション−８）で「１」を設定した場合の残りＡＥＢ枚数の表示の説明を図１１を使って行う。この設定では、ＡＥＢは２コマだけの撮影になる。３コマのＡＥＢと同様ＰＦ−１０で「１」を設定するとＡＥＢの撮影可能セット数（ＡＥＢ残り回数）表示になる。
【０１２２】
図１１の（１ａ）、（２ａ’）、（３ａ’）、（４ａ’）は外部液晶ＯＬＣの表示を表し、（１ｂ）、（２ｂ’）、（３ｂ’）、（４ｂ’）はファインダーＦＮＤＲ内の表示手段の表示をあらわす。（１ａ）、（１ｂ）、（４ａ’）、（４ｂ’）は通常表示で外部液晶ＯＬＣのＣＮＴＤＳＰ部分およびファインダー内表示手段のＩＦＣＮＴ部分はフレームカウンターになっている。（２ａ’）、（２ｂ’）、（３ａ’）、（３ｂ’）は、ＡＥＢの残数表示で、外部液晶ＯＬＣのＣＮＴＤＳＰ部分およびファインダー内表示手段のＩＦＣＮＴ部分は残りのフィルムでＡＥＢ可能な回数が表示される。
【０１２３】
もう少し詳しく説明すると、（１ａ）では、１５コマ撮影済みの場合の表示で次に撮影するフレームが１６コマ目であることを外部液晶ＯＬＣのＣＮＴＤＳＰ部分に表示している。また、露出補正がかかっていないので外部液晶ＯＬＣのＢＡＲＤＳＰ部の０目盛り部分のドットが点滅している。（白抜きの四角形で表す）また、（１ｂ）でもファインダー内表示手段のＩＩＦＣＮＴ部分にフレームカウンター値を表示し、露出補正０のドットのみが点灯している。
【０１２４】
上記の状態から前述した方法で露出補正量１．０段とし、１回のＡＥＢ撮影での撮影コマ数２コマのＡＥＢ設定をおこなうと、３６枚撮りフィルムが装填されている場合（２ａ’）のような表示になる。外部液晶ＯＬＣのＣＮＴＤＳＰ部分は、残りＡＥＢ回数が表示される。残り回数は、残りのフィルムで撮影可能なコマ数を１回のＡＥＢで要するコマ数で除算することになる。この場合には、
（３６−１５）／２＝１０あまり１
で「１０」が表示される。また、残数表示になるため外部液晶ＯＬＣのＲＶＭＫ部も点灯する。ＢＡＲＤＳＰ部は露出補正１．０段のＡＥＢ撮影なので、−１、０の部分のドットが点滅表示になる。ファインダー内表示も（２ｂ’）のようにファインダー内表示手段のＩＲＶＭＫ部を点灯させ、ＩＦＣＮＴに「１０」を表示する。ＶＬＣＢＡＲ部分は−１、０に対応する部分のドットが点灯する。
【０１２５】
ＡＥＢ撮影を１回、すなわち２コマの撮影を行った後の表示は（３ａ’）、（３ｂ’）のようになる。ＡＥＢの残り回数は「９」になる。
【０１２６】
この状態でＡＥＢの設定を解除すると（４ａ’）、（４ｂ’）の表示になる。１５コマ撮影の状態から２コマの撮影を行ったため、外部液晶ＯＬＣのＣＮＴＤＳＰ部分およびファインダー内表示手段のＩＦＣＮＴ部分は「１８」になる。
【０１２７】
次にＰＦ−８で「２」を設定した場合での残りＡＥＢ枚数の表示の説明を図１３を使って行う。この設定では、ＡＥＢは１回で５コマの撮影になる。３コマのＡＥＢと同様ＰＦ−１０で「１」を設定するとＡＥＢの撮影可能セット数（ＡＥＢ残り回数）表示になる。
【０１２８】
図１３の表示は、図９、図１１と同様で図１３の（１ａ）、（２ａ”）、（３ａ”）、（４ａ”）は外部液晶ＯＬＣの表示を表し、（１ｂ）、（２ｂ”）、（３ｂ”）、（４ｂ”）はファインダーＦＮＤＲ内の表示手段の表示をあらわす。（１ａ）、（１ｂ）、（４ａ”）、（４ｂ”）は通常表示で外部液晶ＯＬＣのＣＮＴＤＳＰ部分およびファインダー内表示手段のＩＦＣＮＴ部はフレームカウンターになっている。（２ａ”）、（２ｂ”）、（３ａ”）、（３ｂ”）は、ＡＥＢの残数表示で、外部液晶ＯＬＣのＣＮＴＤＳＰ部分およびファインダー内表示手段のＩＦＣＮＴ部は残りのフィルムでＡＥＢ可能な回数が表示される。
【０１２９】
（１ａ）の状態から前述した方法で露出補正量１．０段とし、１回のＡＥＢ撮影での撮影コマ数５コマのＡＥＢ設定をおこなうと、３６枚撮りフィルムが装填されている場合（２ａ”）のような表示になる。外部液晶ＯＬＣのＣＮＴＤＳＰ部分は、残りＡＥＢ回数が表示される。残り回数は、残りのフィルムで撮影可能なコマ数を１回のＡＥＢで要するコマ数で除算することになる。この場合には、
（３６−１５）／５＝４あまり１
で「４」が表示される。また、残数表示になるため外部液晶ＯＬＣのＲＶＭＫ部も点灯する。外部液晶ＯＬＣのＢＡＲＤＳＰ部は露出補正１．０段のＡＥＢ撮影なので、−２、−１、０、＋１、＋２の部分のドットが点滅表示になる。ファインダー内表示も（２ｂ”）のようにＩＲＶＭＫ部を点灯させ、ファインダー内表示手段のＩＦＣＮＴ部に「４」を表示する。ファインダー内表示手段のＶＬＣＢＡＲ部分は−２、−１、０、＋１、＋２に対応する部分のドットが点灯する。
【０１３０】
ＡＥＢ撮影を１回、すなわち５コマの撮影を行った後の表示は（３ａ”）、（３ｂ”）のようになる。ＡＥＢの残り回数は「３」になる。
【０１３１】
この状態でＡＥＢの設定を解除すると（４ａ”）、（４ｂ”）の表示になる。１５コマ撮影の状態から５コマの撮影を行ったため外部液晶ＯＬＣのＣＮＴＤＳＰ部分およびファインダー内表示手段のＩＦＣＮＴ部分は「２１」になる。
【０１３２】
このように、外部液晶ＯＬＣのＣＮＴＤＳＰ部分およびファインダー内表示手段のＩＦＣＮＴ部分に、ＡＥＢ残り回数を表示することで、１回のＡＥＢコマ数が変更できる場合においても撮影者が容易にＡＥＢの残り回数がわかるようなカメラを提供することができる。
【０１３３】
（実施例２）
実施例１では、ＯＬＣとファインダー内にＡＥＢ撮影中に残りＡＥＢ回数の表示を行う場合を説明したが、ファインダー内表示手段のみにＡＥＢ残り回数を表示してもよい。
【０１３４】
ＰＦ−１０で「２」を設定するとファインダー内表示のみＡＥＢ残り回数の表示を行う。
【０１３５】
図１２を使って、ファインダー内のみにＡＥＢ残り回数を表示行う例を説明するが、表示以外の部分は実施例１と同様なので説明を省略する。
【０１３６】
図１２の（１ａ）、（１ｂ）、（２ｂ）は図９の同じ番号の表示と同一のものである。
【０１３７】
（１ａ）、（２ｆ）は外部液晶ＯＬＣの表示を表し、（１ｂ）、（２ｂ）はファインダーＦＮＤＲ内の表示手段の表示をあらわす。
【０１３８】
（２ｆ）は、（２ａ）の状態からＡＥＢ設定したときのもので、外部液晶ＯＬＣのＣＮＴＤＳＰ部分には、ＡＥＢＭＫが点灯し、ＡＥＢ補正量のドット表示がＢＡＲＤＳＰ部に表示されるが、外部液晶ＯＬＣのＣＮＴＤＳＰ部は、フレームカウンターが表示される。
【０１３９】
（２ｂ）はファインダー内表示の図で、ファインダー内表示手段のＩＦＣＮＴ部には残りのフィルムでＡＥＢ可能な回数が表示される。
【０１４０】
ＡＥＢが設定されていない状態から前述した方法で露出補正量１．０段とし、１回のＡＥＢ撮影での撮影コマ数３コマのＡＥＢ設定をおこなうと、３６枚撮りフィルムが装填されている場合、外部液晶ＯＬＣは（２ｆ）のような表示になり、外部液晶ＯＬＣのＣＮＴＤＳＰ部分は、フィルムカウンターが表示されるが、ファインダー内表示手段のＩＦＣＮＴ部は（２ｂ）のように残りＡＥＢ回数が表示される。残り回数は、残りのフィルムで撮影可能なコマ数を１回のＡＥＢで要するコマ数で除算することになる。この場合には、
（３６−１５）／３＝７
で「７」が表示される。また、ＡＥＢ設定されたのでファインダー内表示手段のＡＢＣＭ部が表示され、残数表示になるため、ＩＲＶＭＫ部も点灯する。ＶＬＣＢＡＲ部は露出補正１．０段のＡＥＢ撮影なので、−１、０、＋１に相当する部分のドットが点灯表示になる。
【０１４１】
このように、ファインダー内表示にＡＥＢ残り回数を表示することで、撮影者が容易に一連の撮影の残り回数がわかるようなカメラを提供することができる。
【０１４２】
本実施例では、ファインダー内表示のみにＡＥＢ残り回数を表示したが逆に外部液晶ＯＬＣのみにＡＥＢ残り回数を表示し、ファインダー内表示は通常どおりフレームカウンターを表示しても良い。
【０１４３】
（実施例３）
実施例１では、ＡＥＢ撮影中に残りＡＥＢ回数の表示を行う場合を説明したが、所定の操作を行った場合に限ってＡＥＢ残り回数を表示してもよい。
【０１４４】
図１０を使って所定操作時のみ、ＡＥＢ残り回数表示を行う例を説明するが、表示以外の部分は実施例１と同様なので省略する。
【０１４５】
ＰＦ−１０で「３」が設定された場合の例を説明する。ＰＦ−１０で「３」が設定されると、ＡＥＢ設定状態でＡＥＢ残り回数が表示される。
【０１４６】
図１０（ａ）はＡＥＢ設定後の外部液晶ＯＬＣの表示である。外部液晶ＯＬＣのＣＮＴＤＳＰ部は、フレームカウンター表示になっている。５コマ撮影が終了し次の撮影が６コマ目であることを表している。すでにＡＥＢ撮影モードが設定されているためＡＥＢＭＫも点灯している。この状態では、ＡＥＢ残り回数は表示されない。
【０１４７】
ＡＥＢ残り回数を表示するためには、ＡＥＢ設定状態にする。すなわち、ＡＥモード釦ＡＥＭＢとＡＦモード釦ＡＦＭＢとの同時押しを行うと（ｂ）のように外部液晶ＯＬＣのＣＮＴＤＳＰ部分にＡＥＢ残り回数が表示される。２つのボタンを押した状態でメイン電子ダイアルＭＤＬを回転させれば補正量を設定することができるが、残り回数を確認するだけなら２つのボタンを押すだけでよい。残数であることを明示するため外部液晶ＯＬＣのＲＶＭＫも点灯している。この例では、ＡＥＢの補正量１．０段とし、１回のＡＥＢ撮影での撮影コマ数３コマのＡＥＢ設定が行われている。したがって、フィルム枚数３６枚の場合で、残りＡＥＢ回数が「１０」である。
【０１４８】
このように通常の撮影中はフレームカウンターを表示し、ＡＥＢを行った場合の残り回数を知りたい場合は所定の操作を行い表示を切り換えることにより得たい情報を簡単に得られる構成にすることができる。
【０１４９】
実施例１では、露出を変化させて撮影を行うオートブラケッティングに関して説明を行ったが、本発明はこれに限定されることはなく、複数枚撮影することにより１連の撮影が行われるものであれば何でも良い。例えば、ピント位置を補正しながら複数枚の撮影を行うフォーカスブラケッティングやピントを合わせるＡＦフレームを変えて撮影を行うフォーカスポイントブラケッティングなどでもよい。
【０１５０】
（実施例４）
本実施例はフィルムを記録媒体とした銀塩カメラで説明したが、被写体像を電気的に変化し、メモリ等に画像を記録するデジタルカメラでも本発明が有効であることは言うまでもない。デジタルカメラでは、情報取得手段はメモリの記憶容量および使用した容量から残り容量を取得する。残り撮影回数は以下の式により算出される。
残り撮影回数＝残り容量／１枚の撮影容量／１回の撮影回数
【０１５１】
（その他の実施例）
以上ここに説明した実施例では、ＡＥＢ残り回数の表示とフレームカウンターの表示部分を兼用しているが、別々の表示を設けても本発明が有効であることは言うまでもない。
【０１５２】
【表１】
2003307776.tif 000001
【０１５３】
【表２】
2003307776.tif 000002
【０１５４】
【発明の効果】
以上説明したように、ブラケット撮影の可能なカメラであって、カメラの残り撮影コマ数に関する情報と１回のブラケット撮影に要する撮影コマ数に関する情報を取得する情報取得手段と、前記情報取得手段により取得した残り撮影コマ数と１回のブラケット撮影に要する撮影コマ数から残りの撮影可能コマ数にて何回のブラケット撮影が可能であるかを演算する演算手段と、前記演算手段による演算結果を表示する表示手段とを有することにより、残りの撮影コマ数でブラケット撮影を何回行うことができるかを表示することができる。
【図面の簡単な説明】
【図１】
本発明の動作を説明するためのフローチャート図。
【図２】
図８、１１１の外部表示手段（図６、ＯＬＣ）の表示内容を説明する図。
【図３】
ファインダー内表示手段の表示内容を説明する図。
【図４】
ＡＥＢの設定方法を説明する図。
【図５】
ＡＥＢ時のＶＬＣＢＡＲ表示について説明する図。
【図６】
カメラ外観の操作部材等を説明する図。
【図７】
ＣＦ設定表示。
【図８】
カメラの回路構成を示すブロック図。
【図９】
残りＡＥＢ回数表示の説明。
【図１０】
ＡＥＢ設定中のみ残り回数表示を行う場合の説明図。
【図１１】
残りＡＥＢ回数表示の説明：２枚ＡＥＢの場合。
【図１２】
ファインダー内のみにＡＥＢ残り回数を表示行う例を説明。
【図１３】
残りＡＥＢ回数表示の説明：５枚ＡＥＢの場合。
【符号の説明】
１１１  外部表示手段
１２２  ファインダー内表示手段
１１３  スイッチ部
１０４  フィルム給送手段
１０５  シャッター駆動手段
１１０  絞り駆動手段
１０３  信号入力手段
１０２  ＡＦ駆動手段
１０８  測光手段
１０７  焦点検出手段
１０１  マイクロコンピュータ
ＡＡＦＦ  エリアＡＦフレーム
ＡＢＣＭ  ＡＥＢカウントマーク
ＡＥＢＭＫ  ＡＥＢ表示
ＡＥＤＳＰ  ＡＥモード表示部
ＡＥＬＭＫ  ＡＥロック表示
ＡＥＭＢ  ＡＥモードボタン
ＡＦＤＳＰ  ＡＦモード表示
ＡＦＦ  ＡＦフレーム
ＡＦＭＢ  ＡＦモードボタン
ＡＶＤＳＰ  絞り値等の表示部
ＢＡＲＤＳＰ  露出レベル表示
ＢＴＤＳＰ  バッテリーマーク
ＣＦＢ  ＣＦ設定ボタン
ＣＮＴＤＳＰ  フィルムカウンター表示
ＤＲＳＤＰ  給送モード表示
ＦＮＤＲ  ファインダー
ＩＡＶＤＰ  絞り値表示
ＩＦＣＮＴ  フィルムカウンター
ＩＲＶＭＫ  残量表示中マーク
ＩＴＶＤＰ  シャッター速度表示
ＪＰＭＫ  合焦マーク
ＭＤＬ  メイン電子ダイアル
ＭＥＮＵ  ＭＥＮＵボタン
ＭＮＭＭＫ  マニュアル露出表示
ＭＳＤＳＰ  測光モード表示
ＭＳＭＢ  測光モードボタン
ＭＳＷ  メインスイッチ
ＯＬＣ  外部液晶
ＰＴＭＫ  パトローネマーク
ＲＬＳ  レリーズボタン
ＲＨＭＫ  露出補正表示
ＲＶＭＫ  残量表示中マーク
ＳＤＬ  サブ電子ダイアル
ＳＴＭＫ  ストロボ充完表示
ＳＰＡ  中央部スポット測光範囲マーク
ＴＶＤＳＰ  シャッター速度表示等の表示部
ＶＬＣＢＡＲ  露出補正目盛り